(57)【要約】【課題】鉄筋コンクリート構造や鉄骨構造に比べて製作コストを低減にしつつ木構造に比べて建築強度を高めることができ、しかも、鉄筋コンクリート構造や鉄骨構造における室内の隅部分から大きく突出している角柱をなくすことができ、それだけ角柱による室内の居住空間の制約を回避することができ、居住空間を拡大することができると共に有効利用を図ることができ、低コストで居住性及び耐久性の高い建築構造を提供することができる。【解決手段】二個のＨ形鋼Ｋ・Ｋを各ウエブが直交する状態に配置すると共に該各Ｈ形鋼のフランジの一方端縁を互いに直交状に突き合わせた状態で一体に連結してなる直交組鉄骨材１を形成し、直交組鉄骨材を建物の隅部分に該フランジの他方端縁がそれぞれ外方に向く状態で鉄柱構造材として縦設配置し、Ｈ形鋼のフランジの外方端縁に外壁材２を配置すると共にフランジの内方端縁に内壁材３を配置してなる。【選択図】        図１
2004316274.tif 000002
【特許請求の範囲】
【請求項１】
二個のＨ形鋼を各ウエブが直交する状態に配置すると共に該各Ｈ形鋼のフランジの一方端縁を互いに直交状に突き合わせた状態で一体に連結してなる直交組鉄骨材を形成し、該直交組鉄骨材を建物の隅部分に該フランジの他方端縁がそれぞれ外方に向く状態で鉄柱構造材として縦設配置し、該Ｈ形鋼のフランジの外方端縁に外壁材を配置すると共にフランジの内方端縁に内壁材を配置してなることを特徴とする建築構造。
【請求項２】
上記直交組鉄骨材の各フランジの外面間に山形鋼を縦設配置し、該山形鋼により二個のＨ形鋼を一体に連結してなることを特徴とする請求項１記載の建築構造。
【請求項３】
上記直交組鉄骨材のフランジの外面に他のＨ形鋼を鉄梁構造材として横設配置し、該鉄梁構造材のフランジの外面に木補助材を横設配置し、該木補助材に木間柱材を縦設配置してなることを特徴とする請求項１又は２記載の建築構造。
【請求項４】
上記鉄梁構造材にさらに他のＨ形鋼を鉄床梁構造材として横設配置し、該鉄床梁構造材の上面に鉄根太材を横設配置し、該鉄根太材上に床材を敷設配置し、該鉄床梁構造材の下方に吊りボルトにより天井材を配置してなることを特徴とする請求項１〜３のいずれか１項に記載の建築構造。
【請求項５】
上記請求項１〜４のいずれか１項に記載の建築構造を備えてなることを特徴とする建物。
【発明の詳細な説明】
【０００１】
【発明の属する技術分野】
本発明は例えば一般住宅や店舗等に用いられ木と鉄の組み合わせからなる建築構造及びそれを備えた建物に関するものである。
【０００２】
【従来の技術】
従来、この種の建築構造として、大別して、木構造や鉄筋コンクリート構造、鉄骨構造等の建築構造が知られている。
【０００３】
【発明が解決しようとする課題】
しかしながら上記従来構造の場合、木構造にあっては、施工コストを低減することができるものの積雪耐荷重等の建築強度の向上の制約を受けることがあり、又、鉄筋コンクリート構造、鉄骨構造にあっては、建築強度の向上の期することができるものの施工コストの低減を図ることが困難になり易く、しかも、室内の隅部分に内壁から突出する大きな角柱が存在し、それだけ室内の居住空間を制約することがあるという不都合を有している。
【０００４】
【課題を解決するための手段】
本発明はこのような不都合を解決することを目的とするもので、本発明のうちで、請求項１記載の発明は、二個のＨ形鋼を各ウエブが直交する状態に配置すると共に該各Ｈ形鋼のフランジの一方端縁を互いに直交状に突き合わせた状態で一体に連結してなる直交組鉄骨材を形成し、該直交組鉄骨材を建物の隅部分に該フランジの他方端縁がそれぞれ外方に向く状態で鉄柱構造材として縦設配置し、該Ｈ形鋼のフランジの外方端縁に外壁材を配置すると共にフランジの内方端縁に内壁材を配置してなることを特徴とする建築構造にある。
【０００５】
又、請求項２記載の発明は、上記直交組鉄骨材の各フランジの外面間に山形鋼を縦設配置し、該山形鋼により二個のＨ形鋼を一体に連結してなることを特徴とするものであり、又、請求項３記載の発明は、上記直交組鉄骨材のフランジの外面に他のＨ形鋼を鉄梁構造材として横設配置し、該鉄梁構造材のフランジの外面に木補助材を横設配置し、該木補助材に木間柱材を縦設配置してなることを特徴とするものであり、又、請求項４記載の発明は、上記鉄梁構造材にさらに他のＨ形鋼を鉄床梁構造材として横設配置し、該鉄床梁構造材の上面に鉄根太材を横設配置し、該鉄根太材上に床材を敷設配置し、該鉄床梁構造材の下方に吊りボルトにより天井材を配置してなることを特徴とするものである。
【０００６】
又、請求項５記載の発明は、上記請求項１〜４のいずれか１項に記載の建築構造を備えてなる建物にある。
【０００７】
【発明の実施の形態】
図１乃至図５は本発明の実施の形態例を示し、１は直交組鉄骨材であって、二個のＨ形鋼Ｋ・Ｋを各ウエブＷ・Ｗが直交する状態に配置すると共に各Ｈ形鋼Ｋ・ＫのフランジＦ・Ｆの一方端縁Ｆ１・Ｆ１を互いに直交状に突き合わせ、フランジＦ・Ｆの外面間に山形鋼Ｌを縦設配置し、ボルトＢにより山形鋼Ｌを介して二個のＨ形鋼Ｋ・Ｋを一体に連結して構成されている。
【０００８】
この場合、この直交組鉄骨材１を建物Ｔの隅部分にフランジＦ・Ｆの他方端縁Ｆ２・Ｆ２がそれぞれ外方に向く状態で鉄柱構造材として縦設配置し、Ｈ形鋼Ｋ・ＫのフランジＦ・Ｆの上記他方端縁Ｆ２・Ｆ２としての外方端縁に外壁材２を配置すると共にフランジＦＦの内方端縁に内壁材３を配置して構成している。
【０００９】
又、この場合、上記直交組鉄骨材１のフランジＦ・Ｆの外面に他のＨ形鋼ＤをＨ形鋼Ｄの端部に溶接固着したブラケットＤ１及びボルトＢにより鉄梁構造材４として横設配置し、鉄梁構造材４のフランジの外面に木補助材５を横設配置し、木補助材５に複数個の木間柱材６を間隔を置いて縦設配置して構成している。
【００１０】
又、この場合、上記鉄梁構造材４にさらに他のＨ形鋼ＥをＨ形鋼Ｄに溶接固着したブラケットＤ２及びボルトＢにより鉄床梁構造材７として横設配置し、鉄床梁構造材７の上面に複数個の鉄根太材８を横設配置し、鉄根太材８上に床材９を敷設配置し、鉄床梁構造材７の下方に吊りボルト１０により天井材１１を配置している。
【００１１】
この実施の形態例は上記構成であるから、二個のＨ形鋼Ｋ・Ｋを各ウエブＷ・Ｗが直交する状態に配置すると共に各Ｈ形鋼Ｋ・ＫのフランジＦ・Ｆの一方端縁Ｆ１・Ｆ１を互いに直交状に突き合わせた状態で一体に連結してなる直交組鉄骨材１を形成し、この直交組鉄骨材１を建物の隅部分にフランジＦ・Ｆの他方端縁Ｆ２・Ｆ２がそれぞれ外方に向く状態で鉄柱構造材として縦設配置し、Ｈ形鋼Ｋ・ＫのフランジＦ・Ｆの他方端縁Ｆ２・Ｆ２としての外方端縁に外壁材２を配置すると共にフランジＦ・Ｆの一方端縁Ｆ１・Ｆ１としての内方端縁に内壁材３を配置することができ、このため、鉄筋コンクリート構造や鉄骨構造に比べて製作コストを低減にしつつ木構造に比べて建築強度を高めることができ、しかも、鉄筋コンクリート構造や鉄骨構造における室内の隅部分から大きく突出している角柱をなくすことができ、それだけ角柱による室内の居住空間の制約を回避することができ、居住空間を拡大することができると共に有効利用を図ることができ、外観は木構造ように見えることになり、それだけ、低コストで居住性及び耐久性の高い建築構造を提供することができる。
【００１２】
又、この場合、上記直交組鉄骨材１の各フランジＫ・Ｋの外面間に山形鋼Ｌを縦設配置し、山形鋼Ｌにより二個のＨ形鋼Ｋ・Ｋを一体に連結してなるから、上記直交組鉄骨材１を容易に製作することができ、又、この場合、上記直交組鉄骨材１のフランジＦ・Ｆの外面に他のＨ形鋼Ｄを鉄梁構造材４として横設配置し、鉄梁構造材４のフランジの外面に木補助材５を横設配置し、木補助材５に木間柱材６を縦設配置してなるから、直交組鉄骨材１と他のＨ形鋼Ｄとの結合により一層建築強度を高めることができると共に木補助材５及び木間柱材６により外壁材２や内壁材７、開口部を容易に施工することができ、又、この場合、上記鉄梁構造材４にさらに他のＨ形鋼Ｅを鉄床梁構造材７として横設配置し、鉄床梁構造材７の上面に鉄根太材８を横設配置し、鉄根太材８上に床材９を敷設配置し、鉄床梁構造材７の下方に吊りボルト１０により天井材１１を配置してなるから、直交組鉄骨材１とさらに他のＨ形鋼Ｅとの結合により一層建築強度を高めることができると共に階下部分及び天井部分を容易に施工することができる。
【００１３】
尚、本発明は上記実施の形態例に限られるものではなく、直交組鉄骨材１、Ｈ形鋼Ｋ・Ｄ・Ｅの大きさや外壁材２、内壁材３、その他の材質や構造等は適宜変更して設計されものである。
【００１４】
【発明の効果】
本発明は上述の如く、請求項１及び請求項５記載の発明にあっては、鉄筋コンクリート構造や鉄骨構造に比べて製作コストを低減にしつつ木構造に比べて建築強度を高めることができ、しかも、鉄筋コンクリート構造や鉄骨構造における室内の隅部分から大きく突出している角柱をなくすことができ、それだけ角柱による室内の居住空間の制約を回避することができ、居住空間を拡大することができると共に有効利用を図ることができ、外観は木構造ように見えることになり、それだけ、低コストで居住性及び耐久性の高い建築構造を提供することができる。
【００１５】
又、請求項２記載の発明にあっては、上記直交組鉄骨材の各フランジの外面間に山形鋼を縦設配置し、山形鋼により二個のＨ形鋼を一体に連結してなるから、上記直交組鉄骨材を容易に製作することができ、又、請求項３記載の発明にあっては、上記直交組鉄骨材のフランジの外面に他のＨ形鋼を鉄梁構造材として横設配置し、鉄梁構造材のフランジの外面に木補助材を横設配置し、木補助材に木間柱材を縦設配置してなるから、直交組鉄骨材と他のＨ形鋼との結合により一層建築強度を高めることができると共に木補助材及び木間柱材により外壁材や内壁材、開口部を容易に施工することができ、又、請求項４記載の発明にあっては、上記鉄梁構造材にさらに他のＨ形鋼を鉄床梁構造材として横設配置し、鉄床梁構造材の上面に鉄根太材を横設配置し、鉄根太材上に床材を敷設配置し、鉄床梁構造材の下方に吊りボルトにより天井材を配置してなるから、直交組鉄骨材とさらに他のＨ形鋼との結合により一層建築強度を高めることができると共に階下部分及び天井部分を容易に施工することができる。
【００１６】
以上の如く、所期の目的を充分達成することができる。
【図面の簡単な説明】
【図１】本発明の実施の第一形態例の部分斜視図である。
【図２】本発明の実施の形態例の部分平断面図である。
【図３】本発明の実施の形態例の部分縦断面図である。
【図４】本発明の実施の形態例の部分分離斜視図である。
【図５】本発明の実施の形態例の部分縦断面図である。
【符号の説明】
Ｋ  Ｈ形鋼
Ｗ  ウエブ
Ｆ  フランジ
Ｌ  山形鋼
１  直交組鉄骨材
２  外壁材
３  内壁材
４  鉄梁構造材
５  木補助材
６  木間柱材
７  鉄床梁構造材
８  鉄根太材
９  床材
１０  吊りボルト
１１  天井材
【図１】
2004316274.tif 000003
【図２】
2004316274.tif 000004
【図３】
2004316274.tif 000005
【図４】
2004316274.tif 000006
【図５】
2004316274.tif 000007